(57)【要約】      （修正有）【課題】自動的に閉まる半自動の引戸や引出し家具等を可能とする簡単な構造で動作の安定な付勢切替構造及び付勢切替金具を提供する。【解決手段】相対的にスライドする２個の構造体のうち、第１構造体Ｂ１に、摺動部Ｓに沿って付勢されて摺動する摺動コマＫと、摺動コマＫに回動可能に軸支されたフックＨと、フックＨの係止腕Ｈａが摺接する摺接面Ｔを備え、第２構造体Ｂ２に、他の係止腕Ｈｂが摺接する摺接面Ｕを備えている。【効果】摺動コマが安定して摺動部を摺動することにより、第１係止腕が第１摺接面に摺接し、かつ付勢された第２係止腕が第２摺接面端部に係止された状態で、２個の構造体の間に付勢力が働くという機能が安定に実現できる。ローラ形状の係止ピンを採用すると切替時の抵抗を低減することができる。簡単な構造で、全開位置から一定の距離まで閉めると、あとは自動的に閉まる半自動引戸が実現する。【選択図】図１
2007063979.tif 000002
【特許請求の範囲】
【請求項１】
相対的にスライドする２個の構造体のうち、
第１構造体の第２構造体に対向する側に、摺動部と、摺動部に沿って第１構造体に対して付勢されて摺動する摺動コマと、摺動コマに付勢方向と反対の側で回動可能に軸支されたフックと、フックの第１係止腕が摺接する第１摺接面を備え、
第２構造体の第１構造体に対向する側に、フックの第２係止腕が摺接する第２摺接面を備えており、
２個の構造体の相対位置に従って、フックの第１係止腕が第１摺接面端部に係止され、かつ第２係止腕が第２摺接面に摺接する非付勢状態と、フックの第１係止腕が第１摺接面に摺接し、かつ付勢された第２係止腕が第２摺接面端部に係止された付勢状態とに切替わることを特徴とする付勢切替構造。
【請求項２】
摺動部と、摺動部に沿って付勢されて摺動する摺動コマと、摺動コマに付勢方向と反対の側で回動可能に軸支されたフックと、フックの第１係止腕が摺接する摺接面を備え、摺動コマの位置に従って、フックの第１係止腕が摺接面端部に係止され、かつ第２係止腕が摺動部に収容された非付勢状態と、フックの第１係止腕が摺接面に摺接し、かつ付勢された第２係止腕が摺動部から突出した付勢状態とに切替わることを特徴とする付勢切替金具。
【請求項３】
互いに接して相対的にスライドする２個の構造体のうち、
第１構造体の第２構造体に対向する側に、摺動部と、摺動部に沿って第１構造体に対して付勢されて摺動する摺動コマと、摺動方向に直角な方向に揺動可能に摺動コマに軸支されたフック又は係止ピンと、フック又は係止ピンが摺接する第１摺接面を備え、
第２構造体の第１構造体に対向する側に、フック又は係止ピンが摺接する第２摺接面を備えており、
２個の構造体の相対位置に従って、フック又は係止ピンが第１摺接面端部に係止され、かつ第２摺接面に摺接する非付勢状態と、フック又は係止ピンが第１摺接面に摺接し、かつ第２摺接面端部に係止された付勢状態とに切替わることを特徴とする付勢切替構造。
【請求項４】
摺動部と、摺接面と、摺動部に沿って付勢されて摺動する摺動コマと、摺動コマに摺動方向に直角な方向に揺動可能に軸支されたフック又は係止ピンと、摺接面に接して摺動する摺動板とを備え、
摺動板の位置に従って、フック又は係止ピンが摺接面端部に係止されて摺動板が付勢されない非付勢状態と、フック又は係止ピンが摺動板端部に係止されて摺動板が付勢される付勢状態とに切替わることを特徴とする付勢切替金具。
【発明の詳細な説明】
【技術分野】
【０００１】
本発明は、自動的に閉じる（又は開く）引戸や引出しを実現するのに適した、簡素で動作の安定な付勢切替構造、及び引戸や引出し、窓等に簡単に実装できる付勢切替金具に関する。
【背景技術】
【０００２】
従来、日本家屋や和風家具に使われる戸には観音開き等の開き戸も使われているが圧倒的に引戸が好まれている。ドア形式の開き戸ではドアチェック又はドアクローザと呼ばれる建具金物がありドアの上部に取付れば、ドアが自動的に静かに閉まるようになる。これにより、開けっ放しになったり、風等で煽られたりしない。
【０００３】
簡単にはバネを引戸と戸枠の間に設ける手段が考えられる。しかし、この場合引戸の移動範囲全体に亘って一方向の付勢がかかってしまって、開放状態にできないという不具合がある。例えば一定距離以上開ければ、開け放しておくことができ、逆に途中まで閉めればその後、自動的にピタッと閉まるようになっていれば便利である。引出しにおいても、一定距離以上引き出せば、開け放しておくことができ、逆に途中まで押込めばその後自動的に引込まれるようになっていれば便利である。
【０００４】
本発明者は、このような用途に適した付勢切替え構造を発明し、切替え構造とともにこの構造を応用した引戸を特許文献１で提案した。すなわち、引戸と戸枠のような相対的にスライドする２つの構造体の間に２個の係止腕をもつフックを回動可能に配置し、引戸のスライド位置によりフックが回動し、引戸又は戸枠とフックの回動軸の間に介装されたバネにより、付勢状態と非付勢状態とに切替えられるものである。
【特許文献１】特開2001-027074
【発明の開示】
【発明が解決しようとする課題】
【０００５】
上記特許文献１では実施に当たって、付勢されて摺動するフックの安定性に問題があった。フックが回動する軸に直接バネ等の端部を取付けて実施すると、付勢力の弱い範囲では動作は比較的安定であるが、付勢力を強くしたり摺動距離を長く取ったりすると、フックが傾いたり係止部から外れやすかったり、動作が不安定になりやすかった。これは、原理的に、付勢力により係止部から外れる方向にフックに回転力がかかっているためである。
【０００６】
また、上記特許文献１では実施の形態の一例として、ガイド溝を基板に設け、「Ｔ」字型のフックを採用した建具金具を紹介している。同文献の記載どおり、この「Ｔ」字型のフックで、半自動閉鎖の引戸を安定に実現できる。しかし、この場合、ガイド溝係止部に「Ｔ」字型フックが係止されているとき、「Ｔ」字型フックはバネにより係止部から外れる方向に比較的強い回転力が働く。
【０００７】
この回転力の分力により、２つの構造体（引戸と戸枠）を引き離そうとする方向に力が働く。このため、例えば引戸の下部にこの金具を取付けた場合、引戸には持ち上げようとする方向の力が働き、付勢力が強いとか引戸が軽い場合には持ち上がってしまう。持ち上がることにならなくても、「Ｔ」字型フックの係止腕が戸枠等に強く押付けられ、引戸の移動に伴い係止腕の摺動に摩擦が働き開閉しにくいことになる。また、Ｖ字状フックでは、切替時に係止部に引っ掛かりやすく、手でスライドするのに抵抗になった。
【０００８】
本発明は、上記特許文献１で紹介した付勢切替構造の原理を踏襲し、フック又は係止ピンを安定に取付ける摺動コマ及び摺動コマの動作を安定にする摺動部を採用することで、上記回転力を抑制する等、構造を見直し、引戸や引出しに実施したときに安定で、自動閉止引戸や自動引き込みの引出しのスムーズな動きを実現する付勢切替構造及び製作が簡単で施工しやすい付勢切替金具を提供することを目的とする。
【課題を解決するための手段】
【０００９】
本発明の付勢切替構造は、上記目的を達成するため、相対的にスライドする２個の構造体のうち、第１構造体の第２構造体に対向する側に、摺動部と、摺動部に沿って第１構造体に対して付勢されて摺動する摺動コマと、摺動コマに付勢方向と反対の側で回動可能に軸支されたフックと、フックの第１係止腕が摺接する第１摺接面を備え、第２構造体の第１構造体に対向する側に、フックの第２係止腕が摺接する第２摺接面を備えている。この構造により、第１係止腕が第１摺接面端部に係止され、かつ第２係止腕が第２摺接面に摺接する状態では第２構造体は第１構造体に対して付勢されず（非付勢状態）、第１係止腕が第１摺接面に摺接し、かつ付勢された第２係止腕が第２摺接面端部に係止された状態では、第２構造体は第１構造体に対して付勢される（付勢状態）。その結果、互いにスライドする２個の構造体の相対位置により、非付勢状態と付勢状態とに切替わることになる。
【００１０】
本発明の付勢切替金具は、摺動部と、摺動部に沿って付勢されて摺動する摺動コマと、摺動コマに付勢方向と反対の側で回動可能に軸支されたフックと、フックの第１係止腕が摺接する摺接面を備えている。この付勢切替金具は、摺動コマの位置に従って、フックの第１係止腕が摺接面端部に係止され、かつ第２係止腕が摺動部に収容された非付勢状態と、第１係止腕が摺接面に摺接し、かつ付勢された第２係止腕が摺動部から突出した付勢状態とに切替わる。係止状態を安定化し、摺接時の摩擦を小さくするためには、フックの第１係止腕及び第２係止腕の外縁のなす角度は９０度以上とすることが好ましい。摺動部の形状としては、筒形状の他、スリット状，レール状等とすることができる。
【００１１】
本発明の他の付勢切替構造は、互いに接して相対的にスライドする２個の構造体に適用できるもので、第１構造体の第２構造体に対向する側に、摺動部と、摺動部に沿って第１構造体に対して付勢されて摺動する摺動コマと、摺動方向に直角な方向に揺動可能に摺動コマに軸支されたフックと、フックの第１係止腕が摺接する第１摺接面を備え、第２構造体の第１構造体に対向する側に、フックの第２係止腕が摺接する第２摺接面を備えており、２個の構造体は摺接面で互いに摺接してスライドする。この場合も２個の構造体の相対位置に従って、係止ピンが第１摺接面端部に係止されかつ第２摺接面に摺接する状態では、第２構造体は第１構造体に対して付勢されず（非付勢状態）、係止ピンが第１摺接面に摺接しかつ第２摺接面端部に係止された状態では、第２構造体は第１構造体に対して付勢される（付勢状態）。フックに替えて、摺動方向に直角な方向に揺動可能な軸で摺動コマに設けた係止ピンとすることもできる。係止ピンが軸支された摺動コマ自体が摺動部内を揺動可能に収容されるようにしても良い。また、係止ピンは、回動可能なローラとすることが好ましい。
【００１２】
本発明の他の付勢切替金具は、摺動部と、摺接面と、摺動部に沿って付勢されて摺動する摺動コマと、摺動コマに摺動方向に直角な方向に揺動可能に軸支されたフック又は係止ピンと、摺接面に接して摺動する摺動板とを備えている。そのため、摺動板の位置に従って、フック又は係止ピンが摺接面端部に係止されて摺動板が付勢されない非付勢状態と、フック又は係止ピンが摺動板端部に係止されて摺動板が付勢される付勢状態とに切替わる。
【発明の効果】
【００１３】
本発明の付勢切替構造は、付勢された摺動コマ、摺動コマに軸支されたフックと摺動コマが摺動する摺動部を採用し、これらの位置関係でフックの係止状態が切替わり、相対的にスライドする２個の構造体が付勢された状態（付勢状態）と付勢されていない状態（非付勢状態）とに切替わる。この摺動部を摺動コマが摺動する構造によってフックの動きが安定し、摺動距離を長く取ったりしても、全閉位置から一定の距離だけ開かれている引戸，引出しが全閉位置まで安定に自動的に閉まるような自動閉鎖引戸や自動引込み引出し等が可能となる。付勢力を強くしても、フックが構造体から外れたりせず、2個の構造体の間を引き離すような力もほとんどなく、引戸等が持ち上がるようなこともなくなる。摺動時の摺接部の摩擦も少なくなるので、引戸等がスムーズに動かせる。
【００１４】
この付勢切替構造を採用した付勢切替金具では、フックの第２係止腕は付勢切替金具から突出した状態では付勢され、付勢切替金具に収納された状態では係止されている。この付勢切替金具を引戸，窓，引出し等の構造体に取付けることにより、全閉位置から一定の距離だけ開かれている引戸，引出しが全閉位置まで自動的に閉まるような自動閉止引戸，自動引込み引出しが可能となる。本発明に従った付勢切替金具は簡単な構造で小型に製作でき、引戸，窓，引出しばかりでなく、相対的にスライドする複数の構造体をもつ他の装置にも適用可能となる。
【００１５】
摺動コマを採用したことにより、摺動方向に直角な方向に揺動可能な軸を採用することも可能となる。揺動可能な軸を採用した構造では、フックに替えて係止ピンとすることができる。この構造を採用した付勢切替金具では、特に付勢・非付勢切替時の抵抗を軽減することができる。係止ピンを採用した付勢切替構造及び付勢切替金具も、フックを採用した本発明の構造及び金具と同様に簡単な構造で小型に製作でき、引戸，窓，引出しばかりでなく相対的にスライドする複数の構造体をもつ他の装置にも適用可能となる。
【発明を実施するための最良の形態】
【００１６】
本発明の付勢切替構造は、相対的にスライドする２個の構造体に対して適用できる。すなわち、本発明の付勢切替構造において（図１ａ）、第１構造体Ｂ１は該第１構造体Ｂ１に対してＲ方向に付勢された摺動コマＫが摺動する摺動部Ｓを備え、摺動コマＫには第１係止腕Ｈａと第２係止腕Ｈｂとを持つフックＨが回動可能に軸支されている。第１構造体Ｂ１には、さらに第１摺接面端部Ｔ１を持つ第１摺接面Ｔがあり、第１係止腕Ｈａが摺接する。第２構造体Ｂ２には第２摺接面端部Ｕ１を持つ第２摺接面Ｕが備わっており、第２係止腕Ｈｂが摺接する。
【００１７】
フックＨは、相対的にスライドする２個の構造体Ｂ１，Ｂ２の位置関係に従って、第１係止腕Ｈａが第１摺接面を摺接し、かつ第２係止腕Ｈｂが第２摺接面端部Ｕ１に係止された付勢状態（図１ａ）と、第１係止腕Ｈａが第１摺接面端部Ｔ１に係止され、かつ第２係止腕Ｈｂが第２摺接面Ｕを摺接する非付勢状態（図１ｂ）とに切替わる。付勢状態（ａ）では、第２係止腕Ｈｂが第２摺接面端部Ｕ１に係止されているため第２構造体Ｂ２は第１構造体Ｂ１に対してＲ方向に付勢される。
【００１８】
図１（ａ）で付勢力に抗してＢ２を右に（又はＢ１を左に）スライドさせると、フックＨの第１係止腕Ｈａは第１摺接面端部Ｔ１に到達してフックＨは反時計方向に回動し、非付勢状態（ｂ）に切替わる。この非付勢状態では、第１係止腕Ｈａが第１摺接面端部Ｔ１に係止し、第２係止腕Ｈｂは第２摺接面Ｕを摺接するだけになり第２構造体Ｂ２は第１構造体Ｂ１に対して付勢されない。すなわちこの状態では摺動コマＫが第１構造体Ｂ１に対して付勢されているに係らず、２つの構造体の間には付勢力が掛からず、外力のかからない限り２つの構造体の相対位置は変わらない。フックＨは、摺動部Ｓを安定に摺動する摺動コマＫに軸支されているため、一方の係止腕が摺接面端部に係止し他方の係止腕が摺接面に摺接する状態を安定に保持し、またその逆の状態に切替わる動作が確実となる。
【００１９】
以上に説明した本発明の付勢切替構造は、摺動部Ｓ，摺動コマＫ及びフックＨを第１構造体Ｂ１に備えている。したがって本発明の付勢切替構造は、図１（ｃ）のように図示することも出来、この場合の動作の説明は図１（ａ），（ｂ）による説明と全く同じになる。以下に説明する本発明の付勢切替金具は、この第１構造体に備えるべき要素を要領よくまとめたものであるといえる。
【００２０】
本発明の付勢切替構造は、以下に説明する本発明の付勢切替金具を採用することによって容易に実施できる。本発明に従った付勢切替金具を引戸に適用した実施形態に沿って、本発明の付勢切替構造をより具体的に詳しく説明するが、付勢切替金具に限らず個別の各要素を直接構造体に取付・施工することによっても実施できることはもちろんである。また、一般的に引戸以外の、引出しや窓、その他の相対的にスライドする２個の構造体に適用することが可能である。
【００２１】
本発明に従った付勢切替金具の実施形態の一例を図２により説明する。フックＨが軸支される摺動コマＫ（図２ｂ）は、長さのある筒状の摺動部Ｓ（図２ａ）の内壁に規制されて長手方向に摺動する。フックＨ（図２ｃ）は２個の係止腕Ｈａ，Ｈｂをもち、「Ｖ」字型で、摺動コマＫに摺動コマの付勢方向Ｒとは反対側に開いた状態で略９０度回動するように軸支され、摺動コマＫは摺動部Ｓ内に収容される（図２ｄ）。摺動部Ｓの断面形状は図２では正方形に近い矩形であるが、矩形に限らず図３のように、丸型（ａ）や三角形も採用でき、縦長（ｂ），（ｃ）や、横長で幅広のフック（ｄ）も適宜採用できる。
【００２２】
摺動コマＫは摺動部Ｓの内部に接してスムーズに摺動するように、摺動コマＫの断面は摺動部Ｓの断面内部空間に近い形状とし、摺動コマＫの摺動方向長さはフックＨの軸支部分Ｋｓ及び付勢手段の接続部分を含み適宜決められるが、一般的には摺動をスムーズにするため摺動可能な範囲で出来るだけ長くするとよい。摺動コマＫは摺動部をスムーズに摺動する限り、図のようなブロック形状の他、板状，骨組み形状，またそれらの組合せでもよい。摺動コマＫの摺動部Ｓへの摺接部分には、摺動をスムーズにするため、フッ素樹脂等の摩擦の少ない素材や塗膜を採用したり、小さなコロを設けることが出来る。
【００２３】
摺動コマＫには例えば引張りバネの一端が取付けられ、摺動コマＫはフックＨが回動する側とは逆のＲ方向に付勢される。バネの他端は、摺動部Ｓ内又は付勢切替金具10の適宜の位置に固定される。摺動部Ｓの下部には、摺動コマＫの可動域のほぼ全体に亘る長さの下部スリット12が設けられ、第２係止腕Ｈｂが下部スリット12を通して、付勢切替金具10の外部に突出する。摺動部Ｓの上部には、摺動コマＫの付勢方向と反対側の位置にほぼ係止腕の長さの上部スリット11が設けられ、第１係止腕Ｈａが挿通する。組立てられた付勢切替金具10は図２（ｄ）のようになる（付勢手段は図示せず）。摺動コマの可動範囲（ストローク）は、使用目的、バネの性能等を考慮して適宜設計される。
【００２４】
この付勢切替金具10は、付勢状態では摺動部Ｓの下部スリット12から第２係止腕Ｈｂが突出して、Ｒ方向に付勢されながら摺動自在になっている（図４ｂ）。このとき第１係止腕Ｈａは摺動部Ｓの上部内側の第１摺接面Ｔを摺接する。この突出した第２係止腕Ｈｂを、付勢力Ｒに抗して図４の右方へ動かしていき、第１係止腕Ｈａが摺接面端部Ｔ１（上部スリット11の左端部）に到達すると、フックＨは図４（ａ）のように回動し、突出していた第２係止腕Ｈｂは引っ込み、摺動部内に引っ込んでいた第１係止腕Ｈａは突出し摺接面端部Ｔ１に係止され摺動コマＫは非付勢状態となる。この時、第２係止腕Ｈｂは付勢力により摺動部Ｓから突出しようとする方向に軽い回転力が働いているので、手を離すと第２係止腕Ｈｂは摺動部Ｓから突出し、摺動コマＫは付勢されて付勢方向Ｒに移動する（再び図４ｂ）。
【００２５】
この付勢切替金具10を、たとえば引戸に施工するには，図５のように相手側の戸枠Ｇの敷居を敷居側摺接面Ｕとし、凹部13を設けその端部を敷居側摺接面端部Ｕ１とし、この付勢切替金具10の下部から突出する第２係止腕Ｈｂを凹部13に挿入しながら、付勢切替金具10を引戸Ｄ側に取付ける。付勢切替金具10を引戸Ｄに取付けた位置関係が付勢状態（図５ｂ）にあるときは、突出した第２の係止腕Ｈｂは付勢されており、引戸Ｄは付勢状態になり閉止される。引戸Ｄを閉止状態から手動で少し開き手を離すと、Ｒ方向の付勢力により引戸Ｄは自動的に戻って閉じる（図５ｂ：付勢切替金具10は図４ｂ）。
【００２６】
閉じた状態（付勢状態：図５ｂ）から付勢力Ｒに抗して引戸Ｄを開いていくと、第１係止腕Ｈａは摺動部Ｓの内面を摺接して、第１係止腕が上部スリット（摺接面端部Ｔ１）に到達したときにフックＨは回動して第１係止腕Ｈａが摺接面端部Ｔ１に係止される。同時に突出していた第２係止腕Ｈｂは摺動部Ｓの内部に引っ込んで、凹部13から脱出する。この非付勢状態（図５ａ：付勢切替金具は図４ａ）では第２係止腕Ｈｂは摺接面Ｕを摺接し、引戸Ｄには付勢力が係らなくなる。この非付勢状態では引戸は自ら動くことはない。
【００２７】
反対に、開いている状態（図５ａ：このとき、付勢力は働いていない）から手動で閉めていくと、ある位置（第２係止腕Ｈｂが敷居側摺接面端部Ｕ１に到達する位置）を過ぎると、第２係止腕Ｈｂが付勢切替金具10から突出し、凹部13に入り込んで敷居側摺接面端部Ｕ１に係止するため、引戸Ｄは閉じ方向Ｒに付勢状態になり、手を離すと自動的に閉止する（再び図５ｂ）。
【００２８】
敷居側には必ずしも凹部13を設ける必要はなく、図５の（ｃ）及び（ｄ）に示すように、敷居側に敷居側摺接面Ｕとしてスライド板14を設ければ、該スライド板14の図中右肩が敷居側摺接面端部Ｕ１の機能をもつ。
【００２９】
付勢切替金具10の取付け位置は上記の例に限るものではなく、引戸上部（図６ａ），戸枠の上部（図６ｂ）や戸枠の下部に取付ける事もできる。どの例でも付勢切替金具10を取付けた側の相手側に凹部13やスライド板を設ければよい。図６はどれも非付勢状態を示しており、引戸Ｄをスライドさせて、付勢切替金具の第２係止腕Ｈｂが凹部13に落ち込み係止されると引戸は付勢されて動く。
【００３０】
また、引戸に替えて縦にスライドする戸や窓に付勢切替金具10を適用することもできる。縦にスライドする戸や窓の場合、付勢力がない状態で戸や窓の自重が掛かり自動的に閉まるので、閉止状態では付勢力が働かず、ある距離持ち上げると開方向に付勢力がかかり、全開まで楽に上げることができるというようなニーズに対応した応用が可能である（図６ｃ）。
【００３１】
さらに引出し15等に取付ければ（図６ｄ）、引出し15を途中まで閉めるとあとはピタッと閉まるようにすることができる。この機構は引出しを全部枠体から引き出すことを妨げない。引出しを枠体に再挿入するときは、第２係止腕が付勢切替金具に収容された状態で再挿入すればよい。または、後述のロック機構を備えていれば全部引き出す時にロックしておけばよい。もちろん、枠体に付勢切替金具10を、引出しに凹部13を設けてもよい。
【００３２】
図６（ｅ：付勢状態），（ｆ：非付勢状態）のように、この付勢切替金具を２枚の引戸Ｄ１，Ｄ２の間に設けることもできる。この場合、閉止状態では２枚の引戸に同時に閉止方向の付勢力が掛かっており（ｅ）、どちらの引戸でも非付勢状態まで開くと自由に動かしたり止めておくことができる（ｆ）。２枚の引戸の両方を同時に締りを良くする目的で適用することができる。
【００３３】
もちろん、ニーズによっては、閉止状態からある位置までは付勢されず、ある位置を過ぎた所まで開けると付勢されて自動的に全開状態になるような構成も可能である。また、一枚の引戸に付勢切替金具10を２個使うことで、閉止に近いところで閉止方向に付勢され、全開に近いところで全開方向に付勢され、それらの中間域では付勢されないというような構成も可能である。これらは付勢切替金具10の取付け方によって実施可能であり、多彩なニーズに応えた施工が出来る。
【００３４】
付勢手段としては既存の公知技術が好適に採用できる。単純にはコイル型の引きバネSp1が採用できる（図７ａ）が、フックの回動する向きｋと付勢方向Ｒとの関係が変わらなければ押しバネSp2も採用可能である（図７ｂ）。コイル型のバネに替えてゼンマイ型のバネを採用すれば、比較的広範囲に亘って均一な付勢力が得られる。ゼンマイによって回転力の付与されたボビンに巻き回したワイヤーを摺動コマに接続することで、比較的長い距離の付勢を与えることも出来る。
【００３５】
ところで、本発明が採用する係止構造では、図８（摺動コマは省略）に模式的に示したように片方の係止腕が係止部（摺接面端部）に係止されているとき、フックには係止部への係止が外れようとする方向へ力のモーメントＭすなわち回転力が掛かっている。本発明が採用する係止構造では係止してない方の係止腕が相手側構造体の摺接面に当接することにより、フックが回転して係止が外れることを阻止している。係止位置が逆の場合も同様である。したがって、本発明では２個の構造体のそれぞれに摺接面を備えていることが必要になる。
【００３６】
図２の例の場合では、摺動部Ｓの内面が第１摺接面Ｔを兼ねている。付勢状態では、第１係止腕Ｈａの外縁は摺動部Ｓ内部面に押付けられながら摺動することになる。非付勢状態で引戸を動かした時には、第２係止腕Ｈｂは第２構造体側の摺接面Ｕに押付けられながら摺動する。筒状以外の摺動部形状を採用した場合等は、適宜図１０（ａ）などの例のように第１摺接面Ｔを提供する摺接板１６が適宜設けられる。
【００３７】
本発明に従った付勢切替構造は、上記の回転力があるからこそ、２個の構造体（例えば引戸と戸枠）の位置関係によってフックが回転し、この２つの付勢状態と非付勢状態に切替わる。しかし、この回転力が大きすぎると、係止腕が摺接板等に摺接するときの摩擦抵抗が大きくなるので好ましくない。回転力すなわち力のモーメントＭは、図８でバネの引張り力Ｆと係止点ｐからＦの作用線への垂線の長さｂとの積（Ｆ×ｂ）である。したがって、摺接側の係止腕が摺接面に押圧される力Ｆ’は、係止点ｐから摺接する点ｑまでの長さをｃとして、Ｆ’＝（Ｆ×ｂ）／ｃとなり、Ｆが一定ならｂ／ｃの比を小さくすればＦ’を小さくできる。
【００３８】
従って、本発明に従った付勢切替金具の設計や相手方係止部の施工に当たっては、ｃを大きく（係止腕を長く）し、ｂを小さくすることが、係止腕が摺接するときの摩擦抵抗を小さくするのに効果的である。ｂを小さくするには２個の構造体の間隔ｔを狭くすればよい。また係止点ｐがＦの作用線から遠ざかることを防ぐという意味で、図８（ｂ）のように係止部を鋭角にすることが有効である。逆に図８（ｃ）のように、係止部が鈍角であると、係止点ｐは係止腕の先のほうに移動して、垂線の長さｂは急激に大きくなって、その結果Ｆ’＝（Ｆ×ｂ）／ｃが大きくなり、好ましくない。また、係止腕のスムーズな着脱のために、係止部のカドにはある程度の丸み（Ｒ）をつけるのがよい。
【００３９】
摺動する側の係止腕にかかる力には回転力Ｍ以外に、係止している側の係止角度によるバネの引張り力Ｆの係止部に沿った方向の分力ｆも加わる（図９）。係止部形状が係止腕形状に合っていて、両者間に摩擦はないと仮定すれば、係止側の係止腕に沿った分力ｆは、フックの両係止腕の外縁の成す角度をθとして、ｆ＝Ｆ×cosθとなる。ｆが正の条件（図９ａ）ではフックが摺接面に押付けられ、摩擦力が大きくなるので避けるべきであり、（ｂ）又は（ｃ）のように、ｆが正でない条件（ｆ≦０）に従ってθ≧90°とすることで係止腕が摺接面に押し付けられる力が軽減される。しかし、θをあまり大きくするとフックの係止切り替え時の回転量が大きくなるので、通常は120°≧θ≧90°程度が好ましい。もちろん、係止部は係止腕の軸に近い方で係止されるように、図８（ｂ）のように鋭角形状とする。
【００４０】
摺動部の形態としては種々考えられる。たとえば図１０（ａ）のように基板に設けられた直線状の摺動スリット17とすることも可能である。摺動コマＫは断面がＨ字型（ｂ）で摺動スリット17に嵌まり込んで摺動する。この摺動コマＫにＲ方向への付勢手段（図示せず）が備わり、第１，第２の係止腕を備えるフックＨが軸支される。この場合、第１係止腕が摺動する相手として、摺接板16が設けられる。また、図１０（ｃ），（ｄ）のように基板に設けられた直線状の摺動レール18を設け、レール上に沿って摺動する摺動コマＫとすることも可能である。ここでは、第１係止腕Ｈａが挿通する係止スリット19を基板20に設け、フックＨが基板20と垂直な方向に回動し、基板20が第１摺接面を提供するので摺接板16が不要である例が示されている。
【００４１】
付勢切替金具の第１係止腕が第１摺接面端部に係止された状態でフックが固定されるようなロック機構を備えていれば、ロックした状態で付勢切替金具を取付け、施工が終ったらロックを外すようにすれば取付け易い。施工後でも、半自動開閉引戸としての機能を一時的に停止したい場合等のためにロック機構を備えることが好ましい。種々の公知手段が採用可能であるが、簡単な例として図１１では基板20にピン21を差し込んでフックの動きをロックする機構を示している。
【００４２】
フックの第１，第２の係止腕は、それぞれ係止部や摺動部と接する外縁ｅ（図１２のａ）で機能するため、フックのその他の部分は特に形状上の制限はない。フック全体としてＶ字状でも良いし、略四分円（扇形）やハート型でもよい。針金等で製作する場合も含め、実質的に第１，第２の係止腕を持つフックの機能を発揮するものには様々な形状が考えられる。その数例を図１２の（ｂ）から（ｄ）に示す。また、（ｅ）及び（ｆ）のように金属板等を板厚方向に折り曲げたり、金属線材を折り曲げてフックを作成することもできる。
【００４３】
以上に説明したように、摺動部を摺動する摺動コマの採用によってフックが安定になり、スムーズな動きが得られるが、さらに回動軸の工夫によって２個の構造体の間隔をゼロにして摺動させることも可能になる。すなわち、摺動コマにフックを軸支する回動軸（回転中心）Ｘを実質的に２個の係止腕の交点に合わせることにより（図１７）、２個の構造体の間隔が接してスライドしていても、図１８のように全く同様の付勢切替機能が得られる。図１８（ｃ）は図１７のフックを摺動コマに取付けた図である。回動軸Ｘは２個の係止腕の交点よりさらに外側（フック本体から離れる方向）でもよい。
【００４４】
さらにフックの取付け軸を摺動方向に直角な方向に揺動可能にすることによっても２個の構造体の間隔をゼロにして摺動させることができ（図１９）、２個の構造体Ｂ１，Ｂ２が互いに接してスライドする形態が可能となる。この図では、上下方向に長い孔が設けられ、フックが軸支される枢軸２３が長孔２４に沿って揺動可能に取り付けられている。もちろんこの場合も、摺動コマＫは一方の構造体Ｂ１に設けられた摺動部内を付勢されて摺動する。前述の回動軸（回転中心）Ｘを２個の係止腕の交点に合わせた形態も、取付け軸を摺動方向に直角な方向に揺動可能にしたものと実質的に同じ範疇に入る。
【００４５】
取付け軸を摺動方向に直角な方向に揺動可能とし、２個の構造体が接してスライドするようにできると、フックに替えて係止ピンを採用することもできる。係止ピン２５を用いた構造は、図２０に示すように、第１構造体Ｂ１に対して付勢された摺動コマＫに、長孔が設けられ、係止ピン２５は上下方向に揺動可能に軸支されている。第１構造体の第１摺接面の端部は半径が係止ピンの直径程度の丸み（Ｒ）が付けられているので、摺動コマに働く付勢力によって、係止ピン２５は第２構造体の摺接面に押し付けられている。この状態では第２構造体は付勢されていない。図２０（ａ）で第２構造体Ｂ２が第１構造体Ｂ１に接しながら左方向に摺動していき、係止ピン２５が第２構造体の摺接面端部に到達すると、係止ピンは下方向に揺動し、係止位置が第２構造体の摺接面の端部に移って、第２構造体は付勢される（図２０ｂ）。
【００４６】
摺動方向に直角な方向への揺動可能な長さは原理的に、係止ピン２５の直径以上とする必要がある。係止ピン２５を揺動可能に摺動コマＫに取付ける方法としては、図２１のように長孔２４（ａ）のほか、湾曲した長孔２４（ｂ），回動可能なアーム２６を使う方法（ｃ）や摺動コマＫを先細りの台形として摺動コマ自身を摺動部Ｓ内で傾倒させる方法（ｄ）等がある。特に（ｂ），（ｃ）では、Ｂ１、Ｂ２摺接面端部の係止部に必ずしも丸み（Ｒ）を要しない。また（ｄ）では、係止ピン２５を摺動コマＫに固定した軸に軸支できる。
【００４７】
図２０から明らかなように、係止ピン２５の軸が上下に揺動するため、第１，第２構造体の間に間隔は不要となる。むしろ接して摺動するほうが動作が安定で好ましい場合もある。
【００４８】
係止ピンは摺動時の摩擦を低減するために、軸周りに回転可能なローラとすることもできる。例えば先細りの台形の摺動コマを例にとってローラを採用した構造を説明すると、図２２（ａ）のように、特に係止の切替り時にローラが両方の摺接面端部の丸みに接して同方向へ回転するため切替が非常にスムーズに行われる。また、（ｂ）のように２個のローラを係止ピンとすると切り替え時はもちろん、それ以外の位置でも２個のローラが独立に動くので動きに対する抵抗が少なくなる。（ｃ）のように係止ピンを回動可能な細長いピン形状とすることによっても、摺接面に接する面積が大きくなり摩擦を減らせる。
【００４９】
軸周りに回転可能なローラを採用せず、摺動コマに固定した係止ピンとする場合、摺接面への係止ピンの摩擦を減らすために、丸形状でなく摺接面に摺接する直線状の辺を持つ形状にするのが好ましい。例えば台形の摺動コマを採用した場合は、図２２（ｄ）のように係止ピンを一体化して固定することもできる。
【００５０】
２個の構造体Ｂ１，Ｂ２が接してスライドする構造は、付勢切替金具に応用する場合、第２構造体も含めて一体化した金具とするのに適している。すなわち、構造例を示した図２３のように、金具本体１０に、摺接面２１をもつ第１構造体Ｂ１と、摺動コマＫが付勢されてスライドする摺動部Ｓと、摺接面２１に摺接してスライドする摺動板２２（第２構造体Ｂ２）を備えたもので、摺動板２２の位置によって、係止ピンが摺動板２２の端部に係止された付勢状態（ａ）と摺接面２１の端部に係止された非付勢状態（ｂ）とに切替わる。摺動板２２は金具本体に設けられたスライド部を摺接面２１に摺接しながらスライドするので安定である。この付勢切替金具１０を使うには、この金具を引戸に取り付け、金具の摺動板２２に例えば突起等を設け、突起等を介して摺動板２２を戸枠に連結して用いる。
【００５１】
摺接面端部（係止部）につけるＲ（丸み）の度合いにより、また図２１（ｂ）の湾曲した長孔の場合にはその湾曲度合いも含めて、係止ピンが非係止側の摺接面に押付けられる力が変わってくるので、摺接面端部（係止部）の形状は付勢力との兼ね合いを考慮して設計される。図２４に摺接面端部（係止部）の形状により係止ピンが非係止側の摺接面に押付けられる力が大きい例（ａ）と小さい例（ｂ）を示す。
【００５２】
もちろん係止部Ｊ（摺接面や摺動板の端部）の形状は、図２５に示すような凹部形状でも良いし、Ｒ（丸み）でなく直線でも良い。また、図２６のように凹部形状の係止部を２ヶ所に設け、付勢され係止ピンをもつ２個の摺動コマを左右対称に配置すると、摺動板２２は中央付近で付勢されず、左右の領域でそれぞれ左又は右に付勢されるようになる。１個の付勢切替金具で２役の機能を備えられる。
【００５３】
開き戸用の一般的なドアクローザではオイルダンパーによりドアの急激な動きを防止しているが、本発明に従った付勢切替金具においても、オイルダンパー等の適当な公知手段で、摺動コマの急激な動きを抑えるようにすることが好ましい。摺動コマをゼンマイとワイヤーで付勢する場合には、ワイヤーを巻き回したプーリーの回転を制動する方法や、ワイヤーの通過を制限する貫通孔を備えたブロックを設ける方法もある。いずれも、付勢力によって動く方向でのみ制動がかかるような機能をもつ事が好ましい。
【００５４】
本発明に従った付勢切替金具の材質は要求される強度や耐久性・コスト等を考慮して採用されるが、家屋の引戸等の用途では、鋼・ステンレス鋼・黄銅等の金属が適している。家具の引戸や引出し等では鋼・ステンレス鋼の他アルミニウム・プラスチック等又はそれらの混用も考えられる。耐久性が要求される用途に用いられるものでは、摺動部や摺動コマ・フック・係止ピン等は耐摩耗性の高い素材が好ましい。
【００５５】
一組の構造体に、切替位置が異なる複数の付勢切替構造を設けると、付勢力を段階的に変えることができる。たとえば、開放位置から少し閉めると軽い付勢力がかかって引戸が閉まり始め、閉止位置に近いところでもう一段強い付勢力を引戸に与えるということもできる。複数の付勢切替金具を取付けた状態を図１４に示す。（ａ）は非付勢状態，（ｂ）は付勢切替金具が１つだけ機能している第１付勢状態，（ｃ）は２つの付勢切替金具が機能している第２付勢状態を示している。図１４では図の左右方向に２つの付勢切替金具を配置しているが、図の奥行き方向に並べて配置することも出来る。もちろん、切替位置の異なる２系統の付勢切替構造を１つの金具に収めるようなことも可能である。
【００５６】
本発明の付勢切替構造は、以上に説明したような直線的にスライドする２個の構造体ばかりでなく、図１５に示すような円周方向にスライドする２個の構造体に適用することが出来る。すなわち、円形の第１構造体Ｂ１及び第２構造体Ｂ２の間に、間隙（摺動部）Ｓ及び間隙Ｓを摺動する円形の摺動体（摺動コマ）Ｋを設け、摺動体ＫにフックＨを設ける。円形の第１構造体Ｂ１及び第２構造体Ｂ２の対向する面に、それぞれ凹部４１を設け、摺動体Ｋを円形の第１構造体に対して反時計方向に付勢し、円形の第２構造体を固定しておくと、反時計方向に付勢された第１構造体を図１５（ａ）で時計方向に回動していくと、フックＨの係止腕が第１構造体の凹部４１から第２構造体の凹部４１へ切替わり第１構造体は付勢されなくなる（ｂ）。この構造を、たとえばヒンジ等に適用すると、ヒンジに内蔵した回転ドア（開き戸）用のクローザが実現する。また、上方に開く箱の蓋等に適用し、手で少し開けると全開まで自動的に跳ね上がるような機能を持たせることも可能である。
【００５７】
図１５に示した例は、円形の2個の構造体が共軸的に配置された例であるが、図１６のように軸方向に配置された円形の2個の構造体に対しても同様である。すなわち、円形の第１構造体Ｂ１及び第２構造体Ｂ２の間に、間隙（摺動部）Ｓ及び間隙Ｓを摺動する円形の摺動体（摺動コマ）Ｋを設け、摺動体ＫにフックＨを設ける。円形の第１構造体Ｂ１及び第２構造体Ｂ２の対向する面に、それぞれ凹部４１を設け、摺動体Ｋを円形の第１構造体に対して図の左から見て反時計方向に付勢し、円形の第２構造体Ｂ２を固定しておくと、図１６（ａ）の左から見て反時計方向に付勢された第１構造体を図の左から見て時計方向に回動していくと、フックＨの係止腕が第１構造体の凹部４１から第２構造体の凹部４１へ切替わり第１構造体は付勢されなくなる（ｂ）。これらの機構（図１４，１５）はダイアル等の補助機構に有効に採用できる。
【実施例１】
【００５８】
本発明に従った付勢切替金具の一例として、図１３に示すものを試作した。厚み1mm，高さ15mm，幅4mmの断面Ｌ字のアルミ製アングル材31を長さ150mmに切断し、２本用意した。２本のアングル材31の対向する２点に穴をあけた。一方のアングル材31の短辺には切欠き31aを設け、上部スリットとした。このアングル材31の切欠いていない部分の内側が摺接面Ｔになる。
【００５９】
これを図１３のように組み立てると、約5mm×14mmの内部断面をもつ摺動部Ｓが形成される。摺動コマＫは、塩ビ製で約4mm×13mm×20mmのブロック片を用意し、フックの取付部として、1mmほど薄い部分を設けた。フックとして厚さ1mm程度の塩ビ板で図のような形状（２個の係止腕の外縁の角度＝約95度）のものを用意し、1.6mmφ程度の釘37を軸として摺動コマＫに軸支した。付勢手段として輪ゴム34を摺動コマＫに取付け、輪ゴム34の反対側を、スペーサ33に掛けた。5mm程度のスペーサ33としてワッシャを何枚か重ねて、ボルト32を通し、ナットで締結した。
【００６０】
組立てた付勢切替金具10は通常、第２係止腕Ｈｂは摺動部の下部スリット35から突出して、付勢側に位置している。第２係止腕Ｈｂを付勢力Ｒに逆らって右方向に手で移動させていくと、第１係止腕Ｈａが摺動部の上部スリット36から突出し、同時に第２係止腕Ｈｂは摺動部Ｓ内に引っ込んだ（図１３のｃ）。摺動部Ｓ内で安定に摺動する摺動コマＫに軸支されているため、フックＨは付勢状態，非付勢状態で安定であり、回動もスムーズなためそれらの切替もスムーズだった。
【００６１】
この付勢切替金具10を、食器棚の引戸Ｄの戸枠Ｇの敷居に設けた凹部13に第２係止腕Ｈｂを挿入した状態で、図５（ｂ）のように引戸下部に取付けた。引戸Ｄから手を離すと、第２係止腕Ｈｂが摺動部Ｓ内で左方向に付勢され、かつ敷居に設けられた凹部13に係止されているので、引戸Ｄは閉方向に移動して閉じた。
【００６２】
図５の（ｂ）で引戸を付勢力Ｒに逆らって開方向に手で引いていくと、摺動コマＫは摺動部Ｓ内で相対的に右方向に摺動した。さらに、引戸を摺動部Ｓ内の第１係止腕Ｈａが上部スリット36に入り込むまで開方向に手で引いてやると、フックＨが回動して第２係止腕Ｈｂは摺動部Ｓ内に引っ込んだため凹部13への係止が解けて、引戸Ｄは付勢力から開放された状態になった（図５のａ）。この状態では引戸Ｄは手で引かない限りその位置にとどまっていた。
【００６３】
この実施例では、引戸は付勢範囲である程度早く動き、引戸Ｄが戸枠Ｇに衝突し、音が発生した。これに対処するに、オイルダンパーのようなものが効果的であるが、簡単にはクッションを戸枠と引戸が当たる部分に取付けることで解決した。一般的にはクッションを取付けると弾撥力で跳ね返り、開いた状態でとまってしまうが、本発明に従った付勢切替金具により付勢されているため最終的には確実に閉止状態になった。
【実施例２】
【００６４】
図１４に示すように実施例１で製作した付勢切替金具を２個引戸に取付けた。これにより、非付勢域（ａ）では付勢力が働かず、第１付勢域（ｂ）では１個の付勢切替金具のみの付勢力が掛かり、第２付勢域（ｃ）では２個の付勢切替金具の付勢力が同時に掛かるというように、２段階の付勢力で引戸Ｄが閉止させることが出来た。これと同じ効果は、複数系統の摺動部，摺動コマ，フック及び付勢手段を備えている１個の付勢切替金具を用いることによっても同様の効果が得られる。
【実施例３】
【００６５】
図２７に示す構造の全長２０ｃｍの付勢切替金具１０を作製した。付勢状態で（ａ）は平面図、（ｂ）は平面図の右方向から見た側面図であり、（ｃ）は非付勢状態での平面図である。ケース４１の中の上下部分にスペーサ４２を収容して幅２ｃｍ程度の摺動部Ｓを形成し、バネＳｐの一端をケース４１の左端近くに止め、バネの他端に先細りの台形の摺動コマＫを接続した。摺動コマＫの短辺に近いところに径０．４ｃｍのローラをネジ止めした。第1構造体Ｂ１をケースに固定して、第２構造体Ｂ２（摺動板２２）を第1構造体Ｂ１に摺接してスライド可能にはめ込んだ。この付勢切替金具１０を実施例１と同様に、食器棚の引戸に装着し、連結金具（図示せず）により摺動板２２と戸枠とを連結した。係止ピンＰが第２構造体Ｂ２に係止した状態では、引戸は閉止方向に付勢され、係止ピンＰが第１構造体Ｂ１に係止した状態では、引戸は付勢されずに開放状態になった。この二つの状態への切替時は、非常にスムーズで抵抗感が少なかった。
【産業上の利用可能性】
【００６６】
本発明の付勢切替構造は、簡単な構造で、相対的にスライドする２個の構造体に対して、付勢力を掛けたり掛けなかったりすることができ、引戸や引出し等、幅広い応用が望める。したがって、この付勢切替構造は、家屋・家具・家電製品・家庭必需品・自動車等の引戸や引出しの他、玩具など幅広く道具・装置などに用いられる。また、本発明の付勢切替金具は、引戸や引出し等、相対的にスライドする２個の構造体に取付けることにより、簡単に本発明の付勢切替構造を実施することができる。また、付勢切替金具を一対の構造体に対して複数用いることにより多様な機能を実現できる。
【図面の簡単な説明】
【００６７】
【図１】は本発明の付勢切替構造を説明する図。
【図２】は本発明に従った付勢切替金具の一例における要素部品を説明する斜視図で、(ａ)は摺動部、（ｂ）は摺動コマ、（ｃ）はフック、（ｄ）は組立てた状態の付勢切替金具を示す。
【図３】は摺動部の断面形状の数例を説明する図。
【図４】は本発明に従った付勢切替金具の動作を説明する図で、(ａ)は非付勢状態、（ｂ）は付勢状態を示す。
【図５】は付勢切替金具を引戸に取付けた一例での動作を説明する図。
【図６】は付勢切替金具を引戸上部（ａ），戸枠上部（ｂ），縦にスライドする戸や窓（ｃ），引出し（ｄ）及び２枚の引戸の間（ｅ），（ｆ）に取付けた例の要部。
【図７】はバネの付勢方向とフックの回動方向の関係を説明する図。
【図８】は係止状態でフックに係る回転力と係止点の位置との関係を説明する図。
【図９】は係止状態でフックにかかる分力を説明する図で、(ａ)はθ＜９０°、（ｂ）はθ＞９０°、（ｃ）はθ＝９０°の場合を示す。
【図１０】は種々の形態の摺動部を採用した付勢切替金具の例を説明する図。
【図１１】はロック機構の簡単な例を説明する図。
【図１２】はフックの機能及び種々の形状を説明する図。
【図１３】は実施例１の付勢切替金具を説明する図で、（ａ）は組立図，（ｂ）はフック部分の断面図，（ｃ）は全体斜視図。
【図１４】は２個の付勢切替金具を引戸に取付けた例を説明する図。
【図１５】は円周上をスライドする円形の構造体に適用した一例を説明する図。
【図１６】は円周上をスライドする円形の構造体に適用した他の例を説明する図。
【図１７】は回動軸を２個の腕の交点に設けたフック
【図１８】は回動軸を２個の腕の交点に設けたフックの場合の動作を説明する図
【図１９】は軸を摺動方向に直角な方向に揺動可能にした場合の動作を説明する図
【図２０】は摺動方向に直角な方向に揺動可能な係止ピンの切替動作を説明する図
【図２１】は摺動コマに係止ピンを摺動方向に直角な方向に揺動可能に軸支する方法の一例
【図２２】は係止ピンの形状例を説明する図
【図２３】は第２構造体も含めて一体化した金具の概念図
【図２４】は摺接面端部（係止部）の形状の例
【図２５】は摺接面（第１構造体）と摺動板（第２構造体）の端部（係止部）の形状の例
【図２６】は摺接面（第１構造体）に複数の係止部を設けた例
【図２７】は実施例３で作製した付勢切替金具の構造
【符号の説明】
【００６８】
Ｂ１：第１構造体    Ｂ２：第２構造体
Ｓ：摺動部    Ｋ：摺動コマ    
Ｈ：フック    Ｈａ：第１係止腕    Ｈｂ：第２係止腕    Ｐ：係止ピン
Ｔ：第１摺接面    Ｔ１：第１摺接面端部    Ｕ：第２摺接面    
Ｕ１：第２摺接面端部    Ｘ：回動軸    Ｓｐ1：引きバネ    Ｓｐ２：押しバネ
Ｄ：引戸    Ｇ：戸枠    Ｍ：回転力    Ｒ：付勢方向    Ｆ：付勢力
１０：付勢切替金具    １１：上部スリット    １２：下部スリット
１３：凹部    １４：スライド板    １５：引出し    １６：摺接板    
１７：摺動スリット    １８：摺動レール    １９：係止スリット    ２０：基板
２１：摺接面    ２２：摺動板    ２３：枢軸    ２４：長孔  ２５：係止ピン
２６：回動アーム
３１：アングル材    ３２：ボルト    ３３：スペーサ    ３４：輪ゴム
３５：下部スリット    ３６：上部スリット    ３７：釘
【図１】
2007063979.tif 000003
【図２】
2007063979.tif 000004
【図３】
2007063979.tif 000005
【図４】
2007063979.tif 000006
【図５】
2007063979.tif 000007
【図６】
2007063979.tif 000008
【図７】
2007063979.tif 000009
【図８】
2007063979.tif 000010
【図９】
2007063979.tif 000011
【図１０】
2007063979.tif 000012
【図１１】
2007063979.tif 000013
【図１２】
2007063979.tif 000014
【図１３】
2007063979.tif 000015
【図１４】
2007063979.tif 000016
【図１５】
2007063979.tif 000017
【図１６】
2007063979.tif 000018
【図１７】
2007063979.tif 000019
【図１８】
2007063979.tif 000020
【図１９】
2007063979.tif 000021
【図２０】
2007063979.tif 000022
【図２１】
2007063979.tif 000023
【図２２】
2007063979.tif 000024
【図２３】
2007063979.tif 000025
【図２４】
2007063979.tif 000026
【図２５】
2007063979.tif 000027
【図２６】
2007063979.tif 000028
【図２７】
2007063979.tif 000029